(57)【要約】【課題】操作者の筆記操作負担を低減し、利便性を向上する。【解決手段】印字ラベル作成装置１は、手書き筆記操作により生じる筆記軌跡を接触又は非接触で検出し、その検出結果に対応したテキスト文字を認識し、その認識されたテキスト文字から、当該テキスト文字に係わる筆記軌跡に含まれる所定の特徴形状を抽出し、その抽出された特徴形状と、当該特徴形状を含む筆記軌跡に対応するテキスト文字を含む文字列とを対応付けた対応付けデータを相関として生成し、その生成された対応付けデータを記憶するメモリ７とを有する。【選択図】図１１
2014139739.tif 000002
【特許請求の範囲】
【請求項１】
手書き筆記操作により生じる筆記軌跡を接触又は非接触で検出する検出手段と、
前記検出手段による検出結果に対応した、テキスト文字を認識する文字認識手段と、
前記文字認識手段により認識されたテキスト文字から、当該テキスト文字に係わる前記筆記軌跡に含まれる所定の特徴形状を抽出する抽出手段と、
前記抽出手段により抽出された前記特徴形状と、当該特徴形状を含む前記筆記軌跡に対応する前記テキスト文字を含む文字列と、を対応付けた相関を生成する相関生成手段と、
前記相関生成手段により生成された前記相関を記憶する記憶手段と、
を有することを特徴とする筆記入力装置。
【請求項２】
請求項１記載の筆記入力装置において、
前記記憶手段は、前記相関生成手段によりそれぞれ生成された、
特定の１つのテキスト文字と、当該テキスト文字に係わる前記筆記軌跡に含まれる第１特徴形状と、を対応付けた第１相関と、
前記特定の１つのテキスト文字と、当該テキスト文字に係わる前記筆記軌跡に含まれる、前記第１特徴形状とは異なる第２特徴形状と、を対応付けた第２相関と、
を、互いに識別可能に記憶している
ことを特徴とする筆記入力装置。
【請求項３】
請求項１又は請求項２記載の筆記入力装置において、
前記筆記軌跡に対応した文字列の表示を行う表示手段と、
前記検出手段により前記筆記軌跡が検出され、前記文字認識手段により認識された少なくとも１つの前記テキスト文字から前記抽出手段により前記特徴形状が抽出されたとき、当該特徴形状に係わる前記相関が、前記記憶手段に既に記憶されているか否かを判定する相関判定手段と、
前記相関判定手段により前記相関が前記記憶手段に既に記憶されていると判定された場合に、当該相関により、前記抽出された特徴形状に対応付けられている前記文字列を特定する文字特定手段と、
前記文字特定手段により特定された前記文字列を、前記筆記軌跡に対応した文字列候補として、前記表示手段に表示する表示処理手段と、
を有することを特徴とする筆記入力装置。
【請求項４】
請求項３記載の筆記入力装置において、
被印字媒体を搬送する搬送手段と、
前記搬送手段により搬送される前記被印字媒体に対し、所望の印字を形成する印字手段と、
印字開始の操作入力を契機に前記印字手段を制御し、前記表示手段に表示された前記文字列を前記被印字媒体に印字形成する、印字制御手段と、
を有することを特徴とする筆記入力装置。
【請求項５】
請求項４記載の筆記入力装置において、
前記相関生成手段は、
前記印字開始の操作入力を契機に、前記抽出手段により抽出された前記特徴形状と、対応する前記少なくとも１つのテキスト文字と、を対応付けた前記相関を生成し、
前記記憶手段は、
前記印字開始の操作入力を契機に前記相関生成手段により生成された前記相関を記憶する
ことを特徴とする筆記入力装置。
【発明の詳細な説明】
【技術分野】
【０００１】
本発明は、手書き筆記操作により文字を入力する筆記入力装置に関する。
【背景技術】
【０００２】
従来、手書き筆記操作により文字を入力する筆記入力装置が知られている（例えば、特許文献１参照）。この筆記入力装置（文字列入力装置）は、手書きで入力された文字を認識した上で、その直後に続く文字列を予測して表示する。
【先行技術文献】
【特許文献】
【０００３】
【特許文献１】特開平７−１９２０９５号公報
【発明の概要】
【発明が解決しようとする課題】
【０００４】
ここで、操作者が複数の文字からなる文字列の手書き筆記操作を行うとき、当該文字列に含まれる複数の文字を全て手書き筆記しなくても、上記従来技術のようにして、当該文字列に含まれる１文字（例えば最初の１文字）のみ手書き筆記するだけで、当該文字列が文字列候補（予測変換の候補）として提示されれば、操作者の筆記操作負担が低減し、便利である。
【０００５】
またここで、操作者が複数存在する場合を考える。この場合には、手書き筆記される上記１文字に係わる筆記軌跡に各操作者ごとに固有の特徴形状（筆記癖）が含まれることを考慮し、上記提示の際、上記特徴形状を識別して各操作者ごとに個別の提示を行う（上記１文字が手書き筆記されたときに文字列候補として提示する文字列を互いに異ならせる）ようにすれば、さらに便利である。上記従来技術では、このような点までは配慮されておらず、操作者の筆記操作負担を低減する観点において、さらなる向上の余地があった。
【０００６】
本発明の目的は、操作者の筆記操作負担を低減でき、利便性を向上できる筆記入力装置を提供することにある。
【課題を解決するための手段】
【０００７】
上記目的を達成するために、本願発明は、手書き筆記操作により生じる筆記軌跡を接触又は非接触で検出する検出手段と、前記検出手段による検出結果に対応した、テキスト文字を認識する文字認識手段と、前記文字認識手段により認識されたテキスト文字から、当該テキスト文字に係わる前記筆記軌跡に含まれる所定の特徴形状を抽出する抽出手段と、前記抽出手段により抽出された前記特徴形状と、当該特徴形状を含む前記筆記軌跡に対応する前記テキスト文字を含む文字列と、を対応付けた相関を生成する相関生成手段と、前記相関生成手段により生成された前記相関を記憶する記憶手段と、を有することを特徴とする。
【０００８】
本願発明の筆記入力装置は、検出手段と、文字認識手段と、を有する。操作者が、適宜の筆記具（又は自らの指先）で手書き筆記操作を行うと、その筆記軌跡が、検出手段により検出される。このときの検出手法は、上記筆記具や指先の先端による押圧力を検出する接触方式でもよいし、上記筆記具や指先を超音波や赤外線やカメラ撮像結果を用いて検知したり筆記具から生じる磁界を磁気的に検出する、被接触方式でもよい。検出された筆記軌跡に基づき、文字認識手段が、適宜の公知の文字認識手法を用いて、対応するテキスト文字を認識する。これにより、操作者が手書き筆記操作により描いた軌跡を、テキスト文字としてデータ化することができる。
【０００９】
ここで、上記のようにして操作者が複数の文字からなる文字列の手書き筆記操作を行うとき、当該文字列に含まれる複数の文字を全て手書き筆記しなくても、文字列に含まれる１文字（例えば最初の１文字）のみ手書き筆記するだけで当該複数の文字が文字列候補として提示されれば、筆記操作負担が低減し、便利である。
【００１０】
また、例えば操作者が複数存在する場合には、手書き筆記される上記１文字において、各操作者ごとに固有の特徴形状（筆記癖）が含まれる。したがって、上記提示の際、上記特徴形状を識別して操作者ごとに個別の提示を行う（上記１文字に対し提示する文字列候補を互いに異ならせる）ようにすれば、さらに便利である。
【００１１】
そこで、本願発明においては、抽出手段と、相関生成手段とが設けられている。前述のようにして文字認識手段によりテキスト文字が認識されると、抽出手段により、当該テキスト文字に係わる筆記軌跡に含まれる所定の特徴形状（例えば漢字の部首に含まれる「はらい」の有無、「はね」の有無、筆順、各筆順の連続・分離性等）が抽出される。抽出された特徴形状は、相関生成手段により、上記テキスト文字を含む適宜の文字列と対応付けられて、相関が生成される。生成された相関は、記憶手段に記憶される。
【００１２】
これにより、例えば、その後、同一の操作者が、手書き筆記操作により上記特徴形状を含む筆記軌跡を再度描いた場合、当該特徴形状により上記同一の操作者であることが装置側で検知されると共に、当該操作者に固有の相関により上記特徴形状に対応付けられている文字列を、当該操作者に固有の文字列候補として優先的に表示手段に表示することができる。
【００１３】
この結果、操作者は、入力しようとする文字列に含まれる１文字のみを手書き筆記するだけで、当該文字列に含まれる文字全てを容易に操作入力することができる。この結果、筆記操作負担が低減し、利便性を向上することができる。
【発明の効果】
【００１４】
本発明によれば、操作者の筆記操作負担を低減することができるので、利便性を向上することができる。
【図面の簡単な説明】
【００１５】
【図１】本発明の一実施の形態の印字ラベル作成装置の外観を表す斜視図である。
【図２】印字ラベル作成装置の外観を表す上面図である。
【図３】液晶パネルにおけるラベルイメージの表示例を表す説明図である。
【図４】カートリッジの内部構造を表す模式図である。
【図５】印字ラベル作成装置の制御系を表す概念図である。
【図６】メモリに記憶される対応付けデータの内容の一例を表すテーブルである。
【図７】各操作者に共通の文字列候補が表示される場合を表す説明図である。
【図８】各操作者に共通の文字列候補が表示される場合を表す説明図である。
【図９】操作者に固有の文字列候補が表示される場合を表す説明図である。
【図１０】操作者に固有の文字列候補が表示される場合を表す説明図である。
【図１１】制御回路により実行される制御手順を表すフローチャートである。
【図１２】ステップＳ２００の詳細手順を表すルーチンである。
【発明を実施するための形態】
【００１６】
以下、本発明の一実施の形態について図面を参照しつつ説明する。本実施形態では、本発明の筆記入力装置を印字ラベル作成装置に適用した場合について説明する。
【００１７】
＜印字ラベル作成装置の概略構成＞
図１及び図２に示すように、印字ラベル作成装置１（筆記入力装置に相当）は、装置外郭を構成する筐体１Ａを備えている。筺体１Ａは、装置下面及び装置側面を構成する樹脂製の下カバー１５と、装置上面を構成する樹脂製の上カバー１７とからなる。上カバー１７の後部側には、後述のカートリッジボルダ９（後述の図４参照）を覆うカートリッジカバー１７ａが設けられている。カートリッジカバー１７ａは、後端部を支点として開閉可能である。また、上カバー１７の前部側には、カートリッジカバー１７ａに隣接した例えば矩形開口状の開口縁部６が設けられている。開口縁部６の内側には、液晶パネル５Ａ（表示手段に相当）が設けられると共に、その直上に、液晶パネル５Ａの表示内容を透かした状態で視認しつつ操作者が所望の操作入力を行えるタッチパネル部５Ｂが配置されている。また、開口縁部６の周囲には、操作部２が設けられている。操作部２には、上カバー１７の前方向から後方向に向けて、文字入力等の種々の操作が行われるキーボード３と、電源ボタンや上下左右キー等の印字ラベル作成装置１の各種機能を実行させるための機能キー群４とが配置されている。機能キー群４は、例えば、開口縁部６の右側位置の電源ボタン４ｆやその下側位置の上下左右キー４ｄ、さらにその下側位置の印刷キー４ｅ等を含む。
【００１８】
また、筺体１Ａの内部には、例えばタッチパネル部５Ｂの下側に、後述の制御回路２１０（後述の図５参照）等を構成する電子素子（例えばＩＣチップ等）を実装した図示しないメイン基板と、メイン基板の制御回路２１０にコネクタを介し接続された図示しないキー基板とが設けられている。キー基板は、キーボード３及び機能キー群４を構成する各キーに対応する複数のキー用接点を有し、操作者がキーボード３及び機能キー群４の各キーを操作した際にキー用接点が閉成され、これにより各キーに割り当てられた機能が実行される。
【００１９】
例えば、操作者は、キーボード３や上下左右キー４ｄ、タッチパネル部５Ｂ等を操作し、液晶パネル５Ａに表示されタッチパネル部５Ｂ越しに視認される（以下適宜、単に「液晶パネル５Ａに表示される」という）入力位置を変えながら、文字列や記号等を入力して、ラベルイメージＭ（後述の図３参照）を生成する。図３に示す例では、上記生成後の状態の一例を表しており、液晶パネル５Ａに、ラベルイメージＭ（この例では、文字列「ＡＢＣ」の印字イメージＲ、及び、印字イメージＲを囲む長方形のラベル外形線イメージＱ）が表示されている。このようにして生成されたラベルイメージＭは、後述の制御回路２１０に備えられた例えばＲＡＭに記憶される。なお、図３に示す例では、液晶パネル５ＡのラベルイメージＭの下側には、当該ラベルイメージＭを用いて生成される印字ラベルＬ（図２参照）の大きさ寸法Ｎ（この例では幅１２ｍｍ、長さ３０ｍｍ）が表示されている。
【００２０】
＜カートリッジホルダ及びカートリッジ＞
上記カートリッジカバー１７ａの内側には、図４に示すように、後述の印字済みラベル用テープ１０９を供給するためのカートリッジ８が着脱可能なカートリッジホルダ９が設けられている。カートリッジホルダ９は、カートリッジカバー１７ａにより常には閉塞されており、カートリッジカバー１７ａを開放するとカートリッジホルダ９が露出される。このカートリッジホルダ９には、カートリッジ８内の使用済みのインクリボン１０５（後述）を巻き取るためのリボン巻取りローラ駆動軸１０７と、カートリッジ８内のカバーフィルム１０３（後述）を搬送するための送りローラ駆動軸１０８（搬送手段に相当）とが設けられている。また、カートリッジホルダ９には、カバーフィルム１０３に所望の印字を行うサーマルヘッド２３（印字手段に相当）が、カートリッジ８の装着時にその開口部に位置するように設けられている。サーマルヘッド２３は、カバーフィルム１０３の搬送方向と直交する方向に配列された複数の発熱素子２３ａ（後述の図５参照）を備え、カバーフィルム１０３を搬送方向に印字解像度に分割してなる各印字ライン上に少なくとも各ドットを形成することにより、カバーフィルム１０３への印字を行う。
【００２１】
カートリッジ８は、筐体８Ａと、筐体８Ａ内に配置され、帯状の基材テープ１０１が巻回された第１ロール１０２（実際は渦巻き状であるが、図中では簡略的に同心円状に示す）と、基材テープ１０１と略同じ幅である透明なカバーフィルム１０３（被印刷媒体に相当）が巻回された第２ロール１０４（実際は渦巻き状であるが、図中では簡略的に同心円状に示す）と、熱転写リボンであるインクリボン１０５（但し被印字媒体が感熱テープの場合は不要）が巻回されたリボン供給側ロール１１１と、使用済みのインクリボン１０５を巻き取るリボン巻取りローラ１０６と、カートリッジ８のテープ排出部の近傍に回転可能に支持された送りローラ２７とを有する。
【００２２】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙がこの順序で積層され構成されている。第２ロール１０４は、リール部材１０４ａの周りに上記カバーフィルム１０３を巻回している。
【００２３】
送りローラ２７は、基材テープ１０１と印字形成後のカバーフィルム１０３とを押圧して搬送しつつ接着させて印字済みラベル用テープ１０９とし、得られる印字済みラベル用テープ１０９を図４中矢印Ａで示す方向に搬送する。なお、リボン巻取りローラ１０６及び送りローラ２７は、後述のローラ駆動用モータ２０８（後述の図５参照）の駆動力がリボン巻取りローラ駆動軸１０７及び送りローラ駆動軸１０８に伝達されることにより、連動して回転駆動される。また、この回転駆動の際、サーマルヘッド２３に対向配置されるプラテンローラ２６や、送りローラ２７に対向配置される圧着ローラ２８も同様に回転する（詳細は後述）。
【００２４】
また、印字済みラベル用テープ１０９の搬送経路に沿って送りローラ２７及び圧着ローラ２８の下流側には、印字済みラベル用テープ１０９を所定の長さに切断するためのカッタ４０が設けられている。カッタ４０の下流側には、筺体１Ａに開設されたラベル排出口１Ｂ（図２及び後述の図５参照）が設けられている。
【００２５】
＜印字ラベル作成装置の制御系＞
図５を用いて、印字ラベル作成装置１の制御系を説明する。図５において、印字ラベル作成装置１には、上記サーマルヘッド２３の発熱素子２３ａへの通電を行う印刷駆動回路２０５と、上記タッチパネル部５Ｂを駆動するタッチパネル駆動回路２０７と、上記送りローラ駆動軸１０８（図４参照）及びリボン巻取りローラ駆動軸１０７（図４参照）を駆動するローラ駆動用モータ２０８を制御するローラ駆動回路２０９と、上記カッタ４０を切断動作させるカッタソレノイド２８０への通電を制御するカッタソレノイド駆動回路３００と、印刷駆動回路２０５、タッチパネル駆動回路２０７、ローラ駆動回路２０９、カッタソレノイド駆動回路３００等を介し、印字ラベル作成装置１全体の動作を制御するための制御回路２１０とが設けられている。上記キーボード３及び機能キー群４は、制御回路２１０に接続されている。上記タッチパネル部５Ｂは、タッチパネル駆動回路２０７を介し制御回路２１０に接続されている。そして、制御回路２１０には、キーボード３、機能キー群４、及びタッチパネル部５Ｂの操作に対応した操作信号が入力される。上記液晶パネル部５Ａは、制御回路２１０に接続されており、キーボード３や機能キー群４、タッチパネル部５Ｂの操作に基づくラベルイメージＭ（図３参照）が、液晶パネル５Ａに表示される。また、印字ラベル作成装置１には、例えばＥＥＰＲＯＭ等の不揮発性メモリからなるメモリ７（記憶手段に相当）が設けられ、制御回路２１０に接続されている。制御回路２１０は、キーボード３や機能キー群４、タッチパネル部５Ｂの操作による各設定に応じて、印刷駆動回路２０５、ローラ駆動回路２０９、ローラ駆動用モータ２０８、カッタソレノイド駆動回路３００等を制御する。
【００２６】
制御回路２１０は、いわゆるマイクロコンピュータであり、詳細な図示を省略するが、中央演算処理装置であるＣＰＵ、ＲＯＭ、及びＲＡＭ等から構成される。そして、制御回路２１０は、ＲＡＭの一時記憶機能を利用しつつＲＯＭに予め記憶されたプログラム（後述の図１１及び図１２のフローチャートに示す処理を実行するプログラムを含む）に従って所定の処理を行う。
【００２７】
なお、制御回路２１０は、電源回路により給電されると共に、通信回路を介し例えば通信回線に接続され、この通信回線に接続された図示しないルートサーバ、他の端末、汎用コンピュータ、及び情報サーバ等との間で情報のやりとりが可能となっている。
【００２８】
＜印字ラベル作成装置の基本動作＞
上記構成の印字ラベル作成装置１において、カートリッジ８がカートリッジホルダ９に装着されると、カバーフィルム１０３及びインクリボン１０５がサーマルヘッド２３とプラテンローラ２６との間に狭持されると共に、基材テープ１０１及びカバーフィルム１０３が送りローラ２７と圧着ローラ２８との間に狭持される。一方、キーボード３や機能キー群４、タッチパネル部５Ｂを介した操作により生成されたラベルイメージＭが、液晶パネル５Ａに表示される。
【００２９】
そして、送りローラ駆動軸１０８の駆動に伴い、リボン巻取りローラ１０６及び送りローラ２７が、図４中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給側ロール１１１からインクリボン１０５が繰り出される。また、インクリボン１０５の繰り出しによりプラテンローラ２６が回転し、送りローラ２７、圧着ローラ２８、及びプラテンローラ２６の回転により第２ロール１０４からカバーフィルム１０３が繰り出されて送りローラ２７へ供給される。このとき、液晶パネル５Ａに表示されたラベルイメージＭに基づき、印刷駆動回路２０５によりサーマルヘッド２３の複数の発熱素子２３ａが通電される。この結果、第２ロール１０４から繰り出されたカバーフィルム１０３の裏面に、上記ラベルイメージＭに対応した所望の印字ＲＲ（図５参照）が印刷される。
【００３０】
そして、上記基材テープ１０１と上記印刷が終了したカバーフィルム１０３とが送りローラ２７及び圧着ローラ２８により接着されて一体化されることにより印字済みラベル用テープ１０９として形成され、テープ排出部よりカートリッジ８外へと搬出される。カバーフィルム１０３への印字ＲＲの形成が終了したインクリボン１０５は、リボン巻取りローラ駆動軸１０７の駆動によりリボン巻取りローラ１０６に巻き取られる。
【００３１】
その後、送りローラ２７のラベル搬送方向下流側のカッタ４０が作動して、印字済みラベル用テープ１０９が所定の長さに切断され、所定長の印字ラベルＬが生成される。生成された印字ラベルＬは、排出口１Ｂから筐体１Ａの外部へ排出される。
【００３２】
＜手書き筆記操作による文字列の入力＞
ここで、印字ラベル作成装置１においては、操作者は、キーボード３を操作するか、若しくは、タッチパネル部５Ｂに対し適宜の筆記具（又は自らの指先）で手書き筆記操作することにより、ラベルイメージＭに係わる所望の文字列を入力可能となっている。但し、以下では、操作者が、タッチパネル部５Ｂに対し適宜の筆記具（又は自らの指先）で手書き筆記操作を行うことにより、ラベルイメージＭに係わる所望の文字列を入力する場合について説明する。
【００３３】
すなわち、操作者がタッチパネル部５Ｂに対し適宜の筆記具（又は自らの指先）で手書き筆記操作を行うと、その手書き筆記操作により生じる字画（点や線）の組合せからなる筆記軌跡が、制御回路２１０により検出される。なお、このときの制御回路２１０による筆記軌跡の検出手法は、筆記具（又は操作者の指先）の先端によるタッチパネル部５Ｂへの押圧力を検出することにより、筆記軌跡を接触で検出する、接触方式でもよいし、筆記具（又は操作者の指先）の動きを超音波や赤外線、カメラ撮像結果等を用いて検出したり、筆記具から生じる磁界を磁気的に検出することにより、筆記軌跡を非接触で検出する、非接触方式でもよい。筆記軌跡が検出されると、その検出された筆記軌跡に対応するテキスト文字が、制御回路２１０により適宜の公知の文字認識手法を用いて認識される。これにより、操作者が手書き筆記操作を行って描いた筆記軌跡が、テキスト文字としてデータ化される。
【００３４】
ここで、操作者が複数の文字からなる文字列の手書き筆記操作を行うとき、当該文字列に含まれる複数の文字を全て手書き筆記しなくても、当該文字列に含まれる１文字（例えば最初の１文字）のみ手書き筆記するだけで、当該文字列が文字列候補（予測変換の候補）として提示されれば、操作者の筆記操作負担が低減し、便利である。
【００３５】
またここで、操作者が複数存在する場合を考える。この場合には、手書き筆記される上記１文字に係わる筆記軌跡に各操作者ごとに固有の特徴形状（筆記癖）が含まれることを考慮し、上記提示の際、上記特徴形状を識別して各操作者ごとに個別の提示を行う（上記１文字が手書き筆記されたときに文字列候補として提示する文字列を互いに異ならせる）ようにすれば、さらに便利である。なお、筆記軌跡に含まれる特徴形状としては、例えば、筆順等の運筆（筆運び）の状態を表す運筆状態、始筆部・送筆部・終筆部等の字画の形態を表す字画形態（例えば、「折れ」の形態、「曲がり」の形態、「反り」の形態、「止め」の形態（「止め」の有無等）、「はね」の形態（「はね」の有無等）、「払い」の形態（「払い」の有無等）等）、字画相互間の位置・角度等の構成を表す字画構成等が挙げられる。
【００３６】
そこで本実施形態では、操作者が所望の文字列に含まれる１文字（この例では最初の１文字）を手書き筆記することにより、その筆記軌跡が検出され、その検出された筆記軌跡に対応するテキスト文字が認識されると、その認識されたテキスト文字と、当該テキスト文字に係わる筆記軌跡に含まれる所定の特徴形状と、このときのラベルイメージＭに係わる当該テキスト文字を含む文字列とを対応付けたデータ（以下適宜、「対応付けデータ」という）を、制御回路２１０が、それらの相関として生成する。そして、その生成された対応付けデータを、制御回路２１０が、メモリ７に記憶させる。その後、同一の操作者が上記１文字と同一の文字を手書き筆記して上記特徴形状を含む筆記軌跡を再度描いた場合、メモリ７に記憶されている上記特徴形状に係わる対応付けデータにより、当該特徴形状に対応付けられている上記文字列を、上記筆記軌跡に対応した文字列候補として液晶パネル５Ａに表示させる。以下、その詳細について図６〜図１０を参照しつつ順次説明する。
【００３７】
＜対応付けデータの内容＞
図６に、メモリ７に記憶される対応付けデータの内容の一例を示す。図６に示すように、メモリ７には、複数の対応付けデータ（共通の１つのテキスト文字に係わる互いに異なる特徴形状に関する複数の対応付けデータも含む）が、互いに識別可能に記憶される。なお、メモリ７に記憶される複数の対応付けデータに係わる複数のテキスト文字のうち、特定の１つのテキスト文字に係わる適宜の特徴形状を第１特徴形状とし、この特徴形状に係わる相関を第１相関とした場合、当該特定の１つのテキスト文字に係わる上記特徴形状とは異なる特徴形状が第２特徴形状に相当し、この特徴形状に係わる相関が第２相関に相当する。すなわち、メモリ７には、第１相関として記憶される対応付けデータと、第２相関として記憶される対応付けデータとが、互いに識別可能に記憶される。
【００３８】
この図６に示す例では、メモリ７には、テキスト文字「名」、テキスト文字「名」に係わる特徴形状（ここでは『特徴形状「Ａ１」』という）、及び、テキスト文字「名」を含む文字列「名探偵」を対応付けた対応付けデータ、テキスト文字「名」、テキスト文字「名」に係わる上記特徴形状「Ａ１」とは異なる特徴形状（ここでは『特徴形状「Ａ２」』という）、及び、テキスト文字「名」を含む文字列「名鉄」を対応付けた対応付けデータ、テキスト文字「名」、テキスト文字「名」に係わる上記特徴形状「Ａ１」「Ａ２」とは異なる特徴形状（ここでは『特徴形状「Ａ３」』という）、及び、テキスト文字「名」を含む文字列「名古屋市」を対応付けた対応付けデータ、テキスト文字「愛」、テキスト文字「愛」に係わる特徴形状（ここでは『特徴形状「Ｂ１」』という）、及び、テキスト文字「愛」を含む文字列「愛知県」を対応付けた対応付けデータ、テキスト文字「愛」、テキスト文字「愛」に係わる上記特徴形状「Ｂ１」、及び、テキスト文字「愛」を含む文字列「愛媛県」を対応付けた対応付けデータ等が、互いに識別可能に記憶されている。
【００３９】
なお、図６に示す例では、複数の対応付けデータは、共通のテーブルに記憶されているが、これに限られず、例えば、複数の対応付けデータは、対応するテキスト文字ごとに別々のテーブルに記憶されてもよいし、対応する特徴形状ごとに別々のテーブルに記憶されてもよい。
【００４０】
＜ラベルイメージの生成＞
ここで、適宜の操作者（ここでは「操作者Ａ」という）が最初の１文字として「野」を含む文字列（ここでは「野口英生」とする）の印字イメージＲを含むラベルイメージＭを生成する場合について、図７を参照しつつ説明する。
【００４１】
この場合、図７（ａ）に示すように、操作者Ａは、液晶パネル５Ａに文字列入力画面が表示された状態で、タッチパネル部５Ｂにおける文字列入力画面の右側に対応する領域５１に対し、筆記具１０（又は自らの指先。以下同様）で上記１文字「野」を手書き筆記する。この図７（ａ）に示す例では、タッチパネル部５Ｂの領域５１には、操作者Ａの上記手書き筆記操作により筆記軌跡Ｋ１が描かれている。筆記軌跡Ｋ１には、操作者Ａに固有の特徴形状が含まれている。
【００４２】
すると、図７（ｂ）に示すように、筆記軌跡Ｋ１に対応するテキスト文字「野」が認識され、その認識されたテキスト文字「野」から、当該テキスト文字「野」に係わる筆記軌跡Ｋ１に含まれる操作者Ａに固有の特徴形状が抽出される。この図７（ｂ）に示す例では、テキスト文字「野」に係わる筆記軌跡Ｋ１の符号Ｚで示す部分に「はね」が有る旨の特徴形状（ここでは『特徴形状「１」』という）が抽出されている。なお、操作者Ａに固有の特徴形状が抽出されると、当該特徴形状に係わる対応付けデータがメモリ７に既に記憶されているか否かの判定が行われ、その判定結果次第でその後の内容が異なるが、ここでは、操作者Ａに固有の特徴形状「１」が抽出されたとき、当該特徴形状「１」に係わる対応付けデータがメモリ７に記憶されていない（つまり、過去に操作者Ａにより文字列の最初の１文字として「野」の１文字が手書き筆記されていない）ものとして、その後の内容を説明する。
【００４３】
すなわち、操作者Ａに固有の特徴形状「１」が抽出されたとき、当該特徴形状「１」に係わる対応付けデータがメモリ７に記憶されていない場合には、図７（ｃ）に示すように、液晶パネル５Ａにおける文字列入力画面の左下側の領域５２に、テキスト文字「野」を最初の１文字としてそれぞれ含む複数の文字列が、各操作者に共通の文字列候補として所定の順序（例えば、過去にいずれかの操作者により入力された文字列が優先される順序や、予め決められた順序等）で表示される。この図７（ｃ）に示す例では、液晶パネル５Ａの領域５２には、「野」「野菜」「野球」等の文字列が、各操作者に共通の文字列候補として所定の順次で表示されている。
【００４４】
そして、操作者Ａが文字列「野口英生」に含まれる全ての文字の入力を完了すると、図７（ｄ）に示すように、液晶パネル５Ａに、文字列「野口英生」の印字イメージＲを含むラベルイメージＭが表示される。その後、操作者Ａが前述の印刷キー４ｅを操作して印字開始の操作入力を行うと、それを契機に、文字列「野口英生」の印字イメージＲを含むラベルイメージＭを用いて、当該文字列「野口英生」が印字された印字ラベルＬの生成が開始される。またこれと共に、上記認識されたテキスト文字「野」と、上記抽出された操作者Ａに固有の特徴形状「１」と、上記生成され液晶パネル５Ａに表示されたラベルイメージＭに係わる文字列「野口英生」とを対応付けた対応付けデータが生成され、その生成された対応付けデータが、メモリ７に記憶される。
【００４５】
次に、上記のように、テキスト文字「野」、特徴形状「１」、及び文字列「野口英生」を対応付けた対応付けデータがメモリ７に記憶された後、上記操作者Ａとは異なる操作者（ここでは「操作者Ｂ」という）が最初の１文字として「野」を含む文字列（ここでは「野外ライブ」とする）の印字イメージＲを含むラベルイメージＭを生成する場合について、図８を参照しつつ説明する。
【００４６】
この場合、図８（ａ）に示すように、操作者Ｂは、液晶パネル５Ａに文字列入力画面が表示された状態で、タッチパネル部５Ｂの領域５１に対し、筆記具１０で上記１文字「野」を手書き筆記する。この図８（ａ）に示す例では、タッチパネル部５Ｂの領域５１には、操作者Ｂの上記手書き筆記操作により筆記軌跡Ｋ２が描かれている。筆記軌跡Ｋ２は、上記筆記軌跡Ｋ１と同一のテキスト文字「野」に係わるものであるが、上記筆記軌跡Ｋ１を描いた操作者Ａとは異なる操作者Ｂにより描かれたものであるので、操作者Ａに係わる特徴形状とは異なる操作者Ｂに固有の特徴形状が含まれている。
【００４７】
すると、図８（ｂ）に示すように、筆記軌跡Ｋ２に対応するテキスト文字「野」が認識され、その認識されたテキスト文字「野」から、当該テキスト文字「野」に係わる筆記軌跡Ｋ２に含まれる操作者Ｂに固有の特徴形状が抽出される。この図８（ｂ）に示す例では、テキスト文字「野」に係わる筆記軌跡Ｋ２の符号Ｚで示す部分に「はね」が無い旨の、上記特徴形状「１」とは異なる特徴形状（ここでは『特徴形状「２」』という）が抽出されている。なお、操作者Ｂに固有の特徴形状が抽出されると、当該特徴形状に係わる対応付けデータがメモリ７に既に記憶されているか否かの判定が行われ、その判定結果次第でその後の内容が異なるが、ここでは、操作者Ｂに固有の特徴形状「２」が抽出されたとき、当該特徴形状「２」に係わる対応付けデータがメモリ７に記憶されていない（つまり、過去に操作者Ｂにより文字列の最初の１文字として「野」の１文字が手書き筆記されていない）ものとして、その後の内容を説明する。
【００４８】
すなわち、操作者Ｂに固有の特徴形状「２」が抽出されたとき、当該特徴形状「２」に係わる対応付けデータがメモリ７に記憶されていない場合には、図８（ｃ）に示すように、液晶パネル５Ａの領域５２に、テキスト文字「野」を最初の１文字としてそれぞれ含む複数の文字列が、各操作者に共通の文字列候補として所定の順序で表示される。この図８（ｃ）に示す例では、液晶パネル５Ａの領域５２には、「野」「野菜」「野球」等の文字列が、各操作者に共通の文字列候補として所定の順次で表示されている。
【００４９】
そして、操作者Ｂが文字列「野外ライブ」に含まれる全ての文字の入力を完了すると、図８（ｄ）に示すように、液晶パネル５Ａに、文字列「野外ライブ」の印字イメージＲを含むラベルイメージＭが表示される。その後、操作者Ｂが前述の印刷キー４ｅを操作して印字開始の操作入力を行うと、それを契機に、文字列「野外ライブ」の印字イメージＲを含むラベルイメージＭを用いて、当該文字列「野外ライブ」が印字された印字ラベルＬの生成が開始される。またこれと共に、上記認識されたテキスト文字「野」と、上記抽出された操作者Ｂに固有の特徴形状「２」と、上記生成され液晶パネル５Ａに表示されたラベルイメージＭに係わる文字列「野外ライブ」とを対応付けた対応付けデータが生成され、その生成された対応付けデータが、メモリ７に記憶される。
【００５０】
次に、上記のように、テキスト文字「野」、特徴形状「１」、及び文字列「野口英生」を対応付けた対応付けデータと、テキスト文字「野」、特徴形状「２」、及び文字列「野外ライブ」を対応付けた対応付けデータとがメモリ７に記憶された後、上記操作者Ａが最初の１文字として「野」を含む文字列を入力する場合について、図９を参照しつつ説明する。
【００５１】
この場合、図９（ａ）に示すように、操作者Ａは、液晶パネル５Ａに文字列入力画面が表示された状態で、タッチパネル部５Ｂの領域５１に対し、筆記具１０で上記１文字「野」を手書き筆記する。この図９（ａ）に示す例では、タッチパネル部５Ｂの領域５１には、操作者Ａの上記手書き筆記操作により筆記軌跡Ｋ３が描かれている。筆記軌跡Ｋ３は、上記筆記軌跡Ｋ１，Ｋ２と同一のテキスト文字「野」に係わるものであり、かつ操作者Ａにより描かれたものであるので、筆記軌跡Ｋ１と異なる筆記軌跡であっても、この筆記軌跡Ｋ３には、筆記軌跡Ｋ１と同様、操作者Ａに固有の特徴形状が含まれている。
【００５２】
すると、図９（ｂ）に示すように、筆記軌跡Ｋ３に対応するテキスト文字「野」が認識され、その認識されたテキスト文字「野」から、当該テキスト文字「野」に係わる筆記軌跡Ｋ３に含まれる操作者Ａに固有の特徴形状が抽出される。この図９（ｂ）に示す例では、テキスト文字「野」に係わる筆記軌跡Ｋ３の符号Ｚで示す部分に「はね」が有る旨の上記特徴形状「１」が抽出されている。操作者Ａに固有の特徴形状が抽出されると、当該特徴形状に係わる対応付けデータがメモリ７に既に記憶されているか否かの判定が行われる。この例では、操作者Ａに固有の特徴形状「１」が抽出されたとき、当該特徴形状「１」に係わる対応付けデータがメモリ７に既に記憶されている（つまり、過去に操作者Ａにより文字列の最初の１文字として「野」の１文字が手書き筆記されている）ので、上記判定は満たされる。この場合には、メモリ７に記憶されている上記抽出された操作者Ａに固有の特徴形状に係わる対応付けデータにより、当該特徴形状に対応付けられている過去に操作者Ａにより入力された文字列が特定される。この例では、メモリ７に記憶されている操作者Ａに固有の特徴形状「１」に係わる対応付けデータにより、当該特徴形状「１」に対応付けられている過去に操作者Ａにより入力された文字列「野口英生」が特定される。
【００５３】
すると、図９（ｃ）に示すように、液晶パネル５Ａの領域５２に、上記特定された過去に操作者Ａにより入力された文字列が、上記検出された筆記軌跡Ｋ３に対応した操作者Ａに固有の文字列候補として優先的に表示される。この例では、液晶パネル５Ａの領域５２には、上記特定された過去に操作者Ａにより入力された文字列が、上記検出された筆記軌跡Ｋ３に対応した操作者Ａに固有の文字列候補として優先的に表示されると共に、この文字列候補の後に、テキスト文字「野」を最初の１文字としてそれぞれ含む他の複数の文字列が、各操作者に共通の文字列候補として所定の順序で表示される。この図９（ｃ）に示す例では、液晶パネル５Ａの領域５２には、「野口英生」の文字列が、筆記軌跡Ｋ３に対応した操作者Ａに固有の文字列候補として優先的に表示されると共に、この文字列候補の後に、「野」等の文字列が、各操作者に共通の文字列候補として所定の順次で表示されている。
【００５４】
一方、上記のように、テキスト文字「野」、特徴形状「１」、及び文字列「野口英生」を対応付けた対応付けデータと、テキスト文字「野」、特徴形状「２」、及び文字列「野外ライブ」を対応付けた対応付けデータとがメモリ７に記憶された後、上記操作者Ｂが最初の１文字として「野」を含む文字列を入力する場合について、図１０を参照しつつ説明する。
【００５５】
この場合、図１０（ａ）に示すように、操作者Ｂは、液晶パネル５Ａに文字列入力画面が表示された状態で、タッチパネル部５Ｂの領域５１に対し、筆記具１０で上記１文字「野」を手書き筆記する。この図１０（ａ）に示す例では、タッチパネル部５Ｂの領域５１には、操作者Ｂの上記手書き筆記操作により筆記軌跡Ｋ４が描かれている。筆記軌跡Ｋ４は、上記筆記軌跡Ｋ１，Ｋ２と同一のテキスト文字「野」に係わるものであり、かつ操作者Ｂにより描かれたものであるので、筆記軌跡Ｋ２と異なる筆記軌跡であっても、この筆記軌跡Ｋ４には、筆記軌跡Ｋ２と同様、操作者Ｂに固有の特徴形状が含まれている。
【００５６】
すると、図１０（ｂ）に示すように、筆記軌跡Ｋ４に対応するテキスト文字「野」が認識され、その認識されたテキスト文字「野」から、当該テキスト文字「野」に係わる筆記軌跡Ｋ４に含まれる操作者Ｂに固有の特徴形状が抽出される。この図１０（ｂ）に示す例では、テキスト文字「野」に係わる筆記軌跡Ｋ４の符号Ｚで示す部分に「はね」が無い旨の上記特徴形状「２」が抽出されている。操作者Ｂに固有の特徴形状が抽出されると、当該特徴形状に係わる対応付けデータがメモリ７に既に記憶されているか否かの判定が行われる。この例では、操作者Ｂに固有の特徴形状「２」が抽出されたとき、当該特徴形状「２」に係わる対応付けデータがメモリ７に既に記憶されている（つまり、過去に操作者Ｂにより文字列の最初の１文字として「野」の１文字が手書き筆記されている）ので、上記判定は満たされる。この場合には、メモリ７に記憶されている上記抽出された操作者Ｂに固有の特徴形状に係わる対応付けデータにより、当該特徴形状に対応付けられている過去に操作者Ｂにより入力された文字列が特定される。この例では、メモリ７に記憶されている操作者Ｂに固有の特徴形状「２」に係わる対応付けデータにより、当該特徴形状「２」に対応付けられている過去に操作者Ｂにより入力された文字列「野外ライブ」が特定される。
【００５７】
すると、図１０（ｃ）に示すように、液晶パネル５Ａの領域５２に、上記特定された過去に操作者Ｂにより入力された文字列が、上記検出された筆記軌跡Ｋ４に対応した操作者Ｂに固有の文字列候補として優先的に表示される。この例では、液晶パネル５Ａの領域５２には、上記特定された過去に操作者Ｂにより入力された文字列が、上記検出された筆記軌跡Ｋ４に対応した操作者Ｂに固有の文字列候補として優先的に表示されると共に、この文字列候補の後に、テキスト文字「野」を最初の１文字としてそれぞれ含む他の複数の文字列が、各操作者に共通の文字列候補として所定の順序で表示される。この図１０（ｃ）に示す例では、液晶パネル５Ａの領域５２には、「野外ライブ」の文字列が、筆記軌跡Ｋ４に対応した操作者Ｂに固有の文字列候補として優先的に表示されると共に、この文字列候補の後に、「野」等の文字列が、各操作者に共通の文字列候補として所定の順次で表示されている。
【００５８】
＜印字ラベル作成時の制御手順＞
上記を実現するために制御回路２１０が実行する制御手順について、図１１を参照しつつ説明する。
【００５９】
図１１において、このフローに示す処理は、例えば印字ラベル作成装置１の電源ボタン４ｆが押されることにより開始される。まず、ステップＳ１０で、制御回路２１０は、後述のフラグＦを０にリセットする。
【００６０】
その後、ステップＳ２０に移り、制御回路２１０は、操作者によるタッチパネル部５Ｂに対する適宜の筆記具（又は自らの指先）での手書き筆記操作を受け付ける。
【００６１】
そして、ステップＳ３０で、制御回路２１０は、上記ステップＳ２０で受け付けた手書き筆記操作により生じる筆記軌跡を、前述の検出手法を用いて検出する。なお、このステップＳ３０の手順が、各請求項記載の検出手段として機能する。
【００６２】
その後、ステップＳ４０に移り、制御回路２１０は、上記ステップＳ３０での筆記軌跡の検出結果に対応したテキスト文字を、適宜の公知の文字認識手法を用いて認識する。なお、このステップＳ４０の手順が、各請求項記載の文字認識手段として機能する。
【００６３】
そして、ステップＳ５０で、制御回路２１０は、フラグＦが０であるか否か、言い換えれば、上記ステップＳ４０で認識されたテキスト文字が文字列の最初の１文字に対応するテキスト文字であるか否かを判定する。フラグＦが０である場合、言い換えれば、上記ステップ４０で認識されたテキスト文字が文字列の最初の１文字に対応するテキスト文字である場合には、ステップＳ５０の判定が満たされて（Ｓ５０：ＹＥＳ）、ステップＳ６０に移る。
【００６４】
ステップＳ６０では、制御回路２１０は、上記ステップＳ４０で認識された文字列の最初の１文字に対応するテキスト文字から、当該テキスト文字に係わる筆記軌跡に含まれる所定の特徴形状を抽出する。なお、このステップＳ６０の手順が、各請求項記載の抽出手段として機能する。
【００６５】
その後、ステップＳ７０に移り、制御回路２１０は、上記ステップＳ６０で抽出された特徴形状に係わる前述の対応付けデータが、メモリ７に既に記憶されているか否かを判定する。なお、このステップＳ７０の手順が、各請求項記載の相関判定手段として機能する。上記ステップＳ６０で抽出された特徴形状に係わる対応付けデータがメモリ７に記憶されていない場合には、ステップＳ７０の判定は満たされず（Ｓ７０：ＮＯ）、ステップＳ８０に移る。
【００６６】
ステップＳ８０では、制御回路２１０は、液晶パネル５Ａに、上記ステップＳ４０で認識されたテキスト文字を最初の１文字としてそれぞれ含む複数の文字列を、各操作者に共通の文字列候補として所定の順序で表示させる。
【００６７】
そして、ステップＳ９０で、制御回路２１０は、上記ステップＳ４０で認識されたテキスト文字を最初の１文字として含む文字列の変換（当該テキスト文字と同一の１文字のままとすることも含む）が、確定されたか否かを判定する。上記ステップＳ４０で認識されたテキスト文字を最初の１文字として含む文字列の変換が確定されていない場合には、ステップＳ９０の判定は満たされず（Ｓ９０：ＮＯ）、上記ステップＳ８０に戻り同様の手順を繰り返す。一方、上記ステップＳ４０で認識されたテキスト文字を最初の１文字として含む文字列の変換が確定された場合には、ステップＳ９０の判定が満たされて（Ｓ９０：ＹＥＳ）、後述のステップＳ１００に移る。
【００６８】
一方、ステップＳ７０において、上記ステップＳ６０で抽出された特徴形状に係わる対応付けデータがメモリ７に既に記憶されている場合には、ステップＳ７０の判定が満たされて（Ｓ７０：ＹＥＳ）、ステップＳ１１０に移る。
【００６９】
ステップＳ１１０では、制御回路２１０は、メモリ７に記憶されている上記ステップＳ６０で抽出された特徴形状に係わる対応付けデータにより、当該特徴形状に対応付けられている文字列を特定する。なお、このステップＳ１１０の手順が、各請求項記載の文字特定手段として機能する。
【００７０】
その後、ステップＳ１２０に移り、制御回路２１０は、液晶パネル５Ａに、上記ステップＳ１１０で特定された文字列を、上記ステップＳ３０で検出された筆記軌跡に対応した文字列候補として優先的に表示させると共に、この文字列候補の後に、上記ステップＳ４０で認識されたテキスト文字を最初の１文字としてそれぞれ含む複数の文字列を、各操作者に共通の文字列候補として所定の順序で表示させる。なお、このステップＳ１２０の手順が、各請求項記載の表示処理手段として機能する。
【００７１】
そして、ステップＳ１３０で、制御回路２１０は、上記ステップＳ４０で認識されたテキスト文字を最初の１文字として含む文字列の変換（当該テキスト文字と同一の１文字のままとすることも含む）が、確定されたか否かを判定する。上記ステップＳ４０で認識されたテキスト文字を最初の１文字として含む文字列の変換が確定されていない場合には、ステップＳ１３０の判定は満たされず（Ｓ１３０：ＮＯ）、上記ステップＳ１２０に戻り同様の手順を繰り返す。一方、上記ステップＳ４０で認識されたテキスト文字を最初の１文字として含む文字列の変換が確定された場合には、ステップＳ１３０の判定が満たされて（Ｓ１３０：ＹＥＳ）、ステップＳ１００に移る。
【００７２】
ステップＳ１００では、制御回路２１０は、文字列に含まれる少なくとも最初の１文字の入力が確定したことを表すフラグＦを１とする。
【００７３】
その後、ステップＳ１４０に移り、制御回路２１０は、操作者による手書き筆記操作が完了したか否かを、適宜の手法（例えば、所定の手書き筆記操作の完了操作が行われたか否かの判定等）により判定する。操作者による手書き筆記操作が完了していない場合には、ステップＳ１４０の判定は満たされず（Ｓ１４０：ＮＯ）、上記ステップＳ２０に戻り同様の手順を繰り返す。ステップＳ１４０が実行された後にステップＳ５０が再度実行されると、フラグＦが１である、言い換えれば、ステップＳ１４０が実行された後に再度実行されたステップ４０で認識されたテキスト文字が文字列の最初の１文字に対応するテキスト文字でないので、ステップＳ５０の判定は満たされず（Ｓ５０：ＮＯ）、ステップＳ５０の後に上記ステップＳ８０に移り同様の手順が実行される。一方、操作者による手書き筆記操作が完了していた場合には、ステップＳ１４０の判定が満たされて（Ｓ１４０：ＹＥＳ）、制御回路２１０により、入力された文字列の印字イメージＲを含むラベルイメージＭが生成された後、ステップＳ１５０に移る。
【００７４】
ステップＳ１５０では、制御回路２１０は、液晶パネル５Ａに、上記生成されたラベルイメージＭを表示させる。
【００７５】
そして、ステップＳ１６０で、制御回路２１０は、操作者により印刷キー４ｅが操作されることにより印字開始の操作入力が行われたか否かを判定する。印字開始の操作入力が行われるまでは、ステップＳ１６０の判定は満たされず（Ｓ１６０：ＮＯ）、上記ステップＳ１５０に戻り同様の手順を繰り返す。印字開始の操作入力が行われると、ステップＳ１６０の判定が満たされて（Ｓ１６０：ＹＥＳ）、ステップＳ２００に移る。
【００７６】
ステップＳ２００では、制御回路２１０は、上記ステップＳ１５０で液晶パネル５Ａに表示されたラベルイメージＭを用いて印字ラベルＬの作成を行う、ラベル作成処理（詳細手順は後述の図１２参照）を実行する。
【００７７】
その後、ステップＳ１７０に移り、制御回路２１０は、最初に実行された上記ステップＳ４０で認識された文字列の最初の１文字に対応するテキスト文字と、上記ステップＳ６０で抽出された特徴形状と、上記ステップＳ１５０で液晶パネル５Ａに表示されたラベルイメージＭに係わる文字列とを対応付けた対応付けデータを、それらの相関として生成する。なお、このステップＳ１７０の手順が、各請求項記載の相関生成手段として機能する。
【００７８】
そして、ステップＳ１８０で、制御回路２１０は、上記ステップＳ１７０で生成された対応付けデータが、メモリ７に既に記憶されているか否かを判定する。上記ステップＳ１７０で生成された対応付けデータがメモリ７に記憶されていない場合には、ステップＳ１８０の判定が満たされて（Ｓ１８０：ＹＥＳ）、ステップＳ１９０に移る。
【００７９】
ステップＳ１９０では、制御回路２１０は、上記ステップＳ１７０で生成された対応付けデータを、メモリ７に記憶させる。その後、このフローに示す処理を終了する。
【００８０】
一方、ステップＳ１８０において、上記ステップＳ１７０で生成された対応付けデータがメモリ７に既に記憶されている場合には、ステップＳ１７０の判定は満たされず（Ｓ１７０：ＮＯ）、上記ステップＳ１９０をスキップして、このフローに示す処理を終了する。
【００８１】
上記ステップＳ２００のラベル作成処理の詳細手順について、図１２を参照しつつ説明する。
【００８２】
図１２において、まずステップＳ２１０で、制御回路２１０は、ローラ駆動回路２０９に制御信号を出力し、ローラ駆動用モータ２０８の駆動を開始する。これにより、送りローラ駆動軸１０８が回転駆動して送りローラ２７の回転が開始され、前述のように、カバーフィルム１０３、基材テープ１０１、及びこれらが貼り合わされた印字済みラベル用テープ１０９の搬送が開始される。
【００８３】
その後、ステップＳ２２０に移り、制御回路２１０は、カバーフィルム１０３の搬送方向位置が所定の印刷開始位置に達したか否かを公知の手法で判定する。印刷開始位置に達するまでは、ステップＳ２２０の判定が満たされず（Ｓ２２０：ＮＯ）、ステップＳ２１０に戻り同様の手順を繰り返す。印刷開始位置に達したら、ステップＳ２２０の判定が満たされて（Ｓ２２０：ＹＥＳ）、ステップＳ２３０に移る。
【００８４】
ステップＳ２３０では、制御回路２１０は、印刷駆動回路２０５に対し、上記図１１のステップＳ１５０で液晶パネル５Ａに表示されたラベルイメージＭに係わる文字列に基づく制御信号（印刷データ）を出力する。これにより、この印刷データに対応してサーマルヘッド２３の発熱素子２３ａが駆動（通電）され、カバーフィルム１０３に対し、当該印刷データに対応した印字の形成（印刷）が開始される。
【００８５】
そして、ステップＳ２４０で、制御回路２１０は、カバーフィルム１０３の搬送方向位置が所定の印刷終了位置に達したかどうか否かを公知の手法で判定する。印刷終了位置に達するまでは、ステップＳ２４０の判定が満たされず（Ｓ２４０：ＮＯ）、ループして待機する。印刷終了位置に達したら、ステップＳ２４０の判定が満たされて（Ｓ２４０：ＹＥＳ）、ステップＳ２５０に移る。
【００８６】
ステップＳ２５０では、制御回路２１０は、印刷駆動回路２０５に対し制御信号を出力し、上記印刷データに対応したサーマルヘッド２３の発熱素子２３ａの駆動（通電）を停止し、印刷を終了させる。なお、上記ステップＳ２３０及びこのステップＳ２５０の手順が、各請求項記載の印字制御手段として機能する。
【００８７】
その後、ステップＳ２６０に移り、制御回路２１０は、印字済みラベル用テープ１０９の搬送方向位置がテープ切断位置まで到達したか否かを公知の手法で判定する。テープ切断位置に到達するまでは、ステップＳ２６０の判定が満たされず（Ｓ２６０：ＮＯ）、ループして待機する。テープ切断位置に到達したら、ステップＳ２６０の判定が満たされて（Ｓ２６０：ＹＥＳ）、ステップＳ２７０に移る。
【００８８】
ステップＳ２７０では、制御回路２１０は、ローラ駆動回路２０９に制御信号を出力し、ローラ駆動用モータ２０８の駆動を停止する。これにより、送りローラ２７の回転が停止し、カバーフィルム１０３、基材テープ１０１、及びこれらが貼り合わされた印字済みラベル用テープ１０９の搬送が停止する。
【００８９】
そして、ステップＳ２８０で、制御回路２１０は、カッタソレノイド駆動回路３００に制御信号を出力する。これにより、カッタソレノイド２８０が通電されて励磁され、カッタ４０が切断動作を行って、印字済みラベル用テープ１０９を所定の長さで切断する。その結果、操作者により作成されたラベルイメージＭに係わる文字列が印字された印字ラベルＬが生成され、排出口１Ｂから筐体１Ａの外部へ排出される。その後、このルーチンに示す処理を終了する。
【００９０】
以上説明したように、本実施形態においては、操作者が適宜の筆記具（又は自らの指先）で手書き筆記操作を行うと、その筆記軌跡が検出される。そして、その検出された筆記軌跡に基づき、対応するテキスト文字が認識される。すると、その認識されたテキスト文字に係わる筆記軌跡に含まれる所定の特徴形状が抽出される。その抽出された特徴形状は、上記認識されたテキスト文字を含む適宜の文字列と対応付けられて、対応付けデータが生成される。その生成された対応付けデータは、メモリ７に記憶される。
【００９１】
これにより、その後、同一の操作者が手書き筆記操作により上記特徴形状を含む筆記軌跡を再度描いた場合、当該特徴形状により上記同一の操作者であることが検知されると共に、当該操作者に固有の特徴形状に係わる対応付けデータにより当該特徴形状に対応付けられている文字列を、当該操作者に固有の文字列候補として優先的に液晶パネル５Ａに表示することができる。
【００９２】
この結果、操作者は、入力しようとする文字列に含まれる１文字のみを手書き筆記するだけで、当該文字列に含まれる文字全てを容易に操作入力することができる。この結果、操作者の筆記操作負担が低減し、利便性を向上することができる。
【００９３】
また、本実施形態では特に、共通の１つのテキスト文字に係わる互いに異なる２つの特徴形状が、それぞれ別の２つの対応付けデータにより上記１つのテキスト文字に対応付けられる。すなわち、ある特徴形状を含む筆記軌跡で上記テキスト文字を描くある操作者には、当該テキスト文字の筆記軌跡を描いたときにある対応付けデータにより文字列候補が提示され、上記ある特徴形状とは異なる特徴形状を含む筆記軌跡で上記テキスト文字を描く操作者には、当該テキスト文字の筆記軌跡を描いたときに上記ある対応付けデータとは異なる対応付けデータにより上記ある操作者とは別の文字列候補が提示される。このようにして、筆記癖に基づき各操作者を識別して当該操作者に最適な文字列候補を提示できるので、複数の操作者が用いる場合であっても、各操作者の筆記操作負担を確実に低減することができる。
【００９４】
また、本実施形態では特に、操作者が過去に一度印字ラベル作成装置１を利用して手書き筆記操作を行って印字ラベルＬを作成すると、前述したように、手書き筆記した文字列の最初の１文字に対応するテキスト文字に係わる特徴形状を用いた対応付けデータが、メモリ７に記憶される。その後、同一の操作者が、手書き筆記操作により当該特徴形状を含む筆記軌跡を再度描いた場合、メモリ７に当該特徴形状に係わる対応付けデータが既に記憶されているので、当該特徴形状により上記同一の操作者であることが検知されると共に、当該操作者に固有の特徴形状に係わる対応付けデータにより当該特徴形状に対応付けられている文字列が特定される。そして、その特定された文字列が、当該操作者に固有の文字列候補として優先的に液晶パネル５Ａに表示される。これらの結果、操作者は、入力しようとする文字列に含まれる１文字のみを手書き筆記するだけで、当該文字列に含まれる文字全てを確実に容易に操作入力することができる。
【００９５】
また、本実施形態では特に、搬送されるカバーフィルム１０３に対し、液晶パネル５Ａに表示された文字列が形成される。これにより、本実施形態においては、手書き筆記操作を用いて入力された文字列を印字形成する印字ラベル作成装置１において、操作者の筆記操作負担を低減し、利便性を向上することができる。
【００９６】
また、本実施形態では特に、操作者が手書き筆記操作を行った後、適宜の印刷指示を行うときに、自動的に当該操作者に固有の特徴形状に係わる対応付けデータが生成され、メモリ７に記憶される。この結果、対応付けデータを生成して記憶するための新たな操作が特に不要となるので、操作者の操作負担をさらに低減し、利便性を向上することができる。
【００９７】
なお、本発明は、上記実施形態に限られるものではなく、その趣旨及び技術的思想を逸脱しない範囲内で種々の変形が可能である。以下、そのような変形例について順次説明する。
【００９８】
（１）スマートフォン等の携帯操作端末に適用した場合
すなわち、本変形例では、前述の送りローラ駆動軸１０８及びサーマルヘッド２３等を備えた印字ラベル作成装置に情報送受信可能に接続された、前述のような手書き筆記操作を行うことが可能なタッチパネル部と、液晶パネル等の表示部（表示手段に相当）とを備えた（いわゆるスマートフォン等の）携帯操作端末が用いられる。そして、携帯操作端末に備えられた適宜の演算手段により、上記図１１のステップＳ２００以外の全手順が実行される。すなわち、携帯操作端末の適宜の操作部による印刷指示がなされて上記ステップＳ１６０の判定が満たされたら、上記ステップＳ２００の前に新たに設けたステップにおいて、携帯操作端末から印字ラベル作成装置へ上記ステップＳ１５０で携帯操作端末の表示部に表示されたラベルイメージＭが送信され印刷指示が行われる。これにより、当該ラベルイメージＭを受信した印字ラベル作成装置によって、上記ステップＳ２００の手順が実行され当該ラベルイメージＭに対応した印字ラベルＬを作成することができる。なお、この場合は、上記対応付けデータは携帯操作端末に設けられた適宜のメモリ（記憶手段に相当）に記憶される。
【００９９】
本変形例によれば、携帯操作端末からの操作により印字ラベルＬの作成処理を行う場合にも、本発明を適用することができる。
【０１００】
（２）その他
上記実施形態においては、手書き筆記により描かれた筆記軌跡に含まれる特徴形状の抽出対象となるテキスト文字が、文字列の最初の１文字に対応する１つのテキスト文字とされていたが、これに限られず、上記抽出対象となるテキスト文字を、文字列に含まれる上記最初の１文字以外の１文字としてもよいし、文字列に含まれる２文字以上としてもよい。
【０１０１】
また、図４及び図５中に示す矢印は、信号の流れの一例を示すものであり、信号の流れ方向を限定するものではない。
【０１０２】
また、図１１及び図１２に示すフローチャートは、本発明を図示する手順に限定するものではなく、発明の趣旨及び技術的思想を逸脱しない範囲内で手順の追加・削除又は順番の変更等をしてもよい。
【０１０３】
また、以上既に述べた以外にも、上記実施形態等による手法を適宜組み合わせて利用してもよい。
【０１０４】
その他、一々例示はしないが、本発明は、その趣旨を逸脱しない範囲内において、種々の変更が加えられて実施されるものである。
【符号の説明】
【０１０５】
１                印字ラベル作成装置（筆記入力装置）
５Ａ              液晶パネル（表示手段）
７                メモリ（記憶手段）
２３              サーマルヘッド（印字手段）
１０３            カバーフィルム（被印字媒体）
１０８            送りローラ駆動軸（搬送手段）
２１０            制御回路
【図１】
2014139739.tif 000003
【図２】
2014139739.tif 000004
【図３】
2014139739.tif 000005
【図４】
2014139739.tif 000006
【図５】
2014139739.tif 000007
【図６】
2014139739.tif 000008
【図７】
2014139739.tif 000009
【図８】
2014139739.tif 000010
【図９】
2014139739.tif 000011
【図１０】
2014139739.tif 000012
【図１１】
2014139739.tif 000013
【図１２】
2014139739.tif 000014